【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】  通信媒体を介してファイルサーバとして機能するデータ処理装置と複数の出力装置と通信してシステム全体を管理する管理サーバであって、
前記データ処理装置または複数の出力装置から固有の資源情報を獲得する獲得手段と、
前記獲得手段により獲得された前記資源情報を保管する第１の保管手段と、
前記第１の保管手段により保管された前記資源情報から入出力デバイスを特定するための転送パス情報を複数生成する生成手段と、
前記生成手段により生成された複数の転送パス情報を保管する第２の保管手段と、
前記データ処理装置または各出力装置からの転送パス情報要求に基づいて前記第２の保管手段により保管される複数の前記転送パス情報を前記データ処理装置または各出力装置に供給する供給手段と、
を有することを特徴とする管理サーバ。
【請求項２】  通信媒体を介して複数の出力装置とシステム全体を管理する管理サーバと通信可能なファイルサーバ機能を有するデータ処理装置であって、
前記管理サーバからの資源情報取得要求に基づいて記憶されている固有の資源情報を前記管理サーバに供給する第１の供給手段と、
前記ファイルを転送すべき入出力デバイスを特定するために前記管理サーバで生成されて保管されている複数の転送パス情報を前記管理サーバから獲得する獲得手段と、
前記獲得手段により獲得された複数の転送パス情報中から所望の転送パス情報を選択する選択手段と、
前記選択手段により選択された転送パス情報に従って入出力デバイスの入出力動作を制御する制御手段と、
を有することを特徴とするデータ処理装置。
【請求項３】  通信媒体を介してシステム全体を管理する管理サーバとファイルサーバとして機能するデータ処理装置と通信可能な出力装置であって、
前記管理サーバからの資源情報取得要求に基づいて記憶されている固有の資源情報を前記データ処理装置に供給する第１の供給手段と、
前記データ処理装置で管理されるファイルを転送すべき入出力デバイスを特定するために前記管理サーバで生成されて保管されている複数の転送パス情報を前記データ処理装置から獲得する獲得手段と、
前記獲得手段により獲得された複数の転送パス情報中から所望の転送パス情報を選択する選択手段と、前記選択手段により選択された転送パス情報に従って入出力デバイスの入出力動作を制御する制御手段と、
を有することを特徴とする出力装置。
【請求項４】  前記獲得手段は、前記データ処理装置で管理されるファイルを転送すべき入出力デバイスを特定するために前記管理サーバで生成されて保管されている複数の転送パス情報中の自機に関連する転送パス情報を前記データ処理装置から獲得することを特徴とする請求項２記載のデータ処理装置。
【請求項５】  前記獲得手段は、前記データ処理装置で管理されるファイルを転送すべき入出力デバイスを特定するために前記管理サーバで生成されて保管されている複数の転送パス情報中の自機に関連する転送パス情報を前記データ処理装置から獲得することを特徴とする請求項３記載の出力装置。
【請求項６】  前記獲得手段により獲得された複数の転送パス情報を保管する第２の保管手段を有し、前記選択手段は、前記保管手段により保管された複数の転送パス情報中から所望の転送パス情報を選択することを特徴とする請求項２記載のデータ処理装置。
【請求項７】  前記獲得手段により獲得された複数の転送パス情報を保管する第２の保管手段を有し、前記選択手段は、前記保管手段により保管された複数の転送パス情報中から所望の転送パス情報を選択することを特徴とする請求項３記載の出力装置。
【請求項８】  通信媒体を介してファイルサーバとして機能するデータ処理装置と複数の出力装置と通信してシステム全体を管理する管理サーバにおけるデータ処理方法であって、
前記データ処理装置または複数の出力装置から固有の資源情報を獲得する獲得工程と、
前記獲得工程により獲得された前記資源情報を記憶装置に保管する第１の保管工程と、
前記第１の保管工程により保管された前記資源情報から入出力デバイスを特定するための転送パス情報を複数生成する生成工程と、
前記生成工程により生成された複数の転送パス情報を前記記憶装置に保管する第２の保管工程と、
前記データ処理装置または各出力装置からの転送パス情報要求に基づいて前記第２の保管工程により保管される複数の前記転送パス情報を前記データ処理装置または各出力装置に供給する供給工程と、
を有することを特徴とするデータ処理方法。
【請求項９】  通信媒体を介して複数の出力装置とシステム全体を管理する管理サーバと通信可能なファイルサーバ機能を有するデータ処理装置におけるデータ処理方法であって、
前記管理サーバからの資源情報取得要求に基づいて記憶されている固有の資源情報を前記管理サーバに供給する第１の供給工程と、
前記ファイルを転送すべき入出力デバイスを特定するために前記管理サーバで生成されて保管されている複数の転送パス情報を前記管理サーバから獲得する獲得工程と、
前記獲得工程により獲得された複数の転送パス情報中から所望の転送パス情報を選択する選択工程と、
前記選択工程により選択された転送パス情報に従って入出力デバイスの入出力動作を実行する実行工程と、
を有することを特徴とするデータ処理方法。
【請求項１０】  通信媒体を介してシステム全体を管理する管理サーバとファイルサーバとして機能するデータ処理装置と通信可能な出力装置におけるデータ処理方法であって、
前記管理サーバからの資源情報取得要求に基づいて記憶されている固有の資源情報を前記データ処理装置に供給する第１の供給工程と、
前記データ処理装置で管理されるファイルを転送すべき入出力デバイスを特定するために前記管理サーバで生成されて保管されている複数の転送パス情報を前記データ処理装置から獲得する獲得工程と、
前記獲得工程により獲得された複数の転送パス情報中から所望の転送パス情報を選択する選択工程と、
前記選択工程により選択された転送パス情報に従って入出力デバイスの入出力動作を実行する実行工程と、
を有することを特徴とするデータ処理方法。
【請求項１１】  前記獲得工程は、前記データ処理装置で管理されるファイルを転送すべき入出力デバイスを特定するために前記管理サーバで生成されて保管されている複数の転送パス情報中の自機に関連する転送パス情報を前記データ処理装置から獲得することを特徴とする請求項９または１０記載のデータ処理方法。
【請求項１２】  前記獲得工程により獲得された複数の転送パス情報を格納装置に保管する第２の保管工程を有し、
前記選択工程は、前記格納装置により保管された複数の転送パス情報中から所望の転送パス情報を選択することを特徴とする請求項９または１０記載のデータ処理方法。
【請求項１３】  通信媒体を介してファイルサーバとして機能するデータ処理装置と複数の出力装置と通信してシステム全体を管理する管理サーバを制御するコンピュータが読み出し可能なプログラムを格納した記憶媒体であって、
前記データ処理装置または複数の出力装置から固有の資源情報を獲得する獲得工程と、
前記獲得工程により獲得された前記資源情報を記憶装置に保管する第１の保管工程と、
前記第１の保管工程により保管された前記資源情報から入出力デバイスを特定するための転送パス情報を複数生成する生成工程と、
前記生成工程により生成された複数の転送パス情報を前記記憶装置に保管する第２の保管工程と、
前記データ処理装置または各出力装置からの転送パス情報要求に基づいて前記第２の保管工程により保管される複数の前記転送パス情報を前記データ処理装置または各出力装置に供給する供給工程と、
を有することを特徴とするコンピュータが読み出し可能なプログラムを格納した記憶媒体。
【請求項１４】  通信媒体を介して複数の出力装置とシステム全体を管理する管理サーバと通信可能なファイルサーバ機能を有するデータ処理装置を制御するコンピュータが読み出し可能なプログラムを格納した記憶媒体であって、
前記管理サーバからの資源情報取得要求に基づいて記憶されている固有の資源情報を前記管理サーバに供給する第１の供給工程と、
前記ファイルを転送すべき入出力デバイスを特定するために前記管理サーバで生成されて保管されている複数の転送パス情報を前記管理サーバから獲得する獲得工程と、
前記獲得工程により獲得された複数の転送パス情報中から所望の転送パス情報を選択する選択工程と、
前記選択工程により選択された転送パス情報に従って入出力デバイスの入出力動作を実行する実行工程と、
を有することを特徴とするコンピュータが読み出し可能なプログラムを格納した記憶媒体。
【請求項１５】  通信媒体を介してシステム全体を管理する管理サーバとファイルサーバとして機能するデータ処理装置と通信可能な出力装置を制御するコンピュータが読み出し可能なプログラムを格納した記憶媒体であって、
前記管理サーバからの資源情報取得要求に基づいて記憶されている固有の資源情報を前記データ処理装置に供給する第１の供給工程と、
前記データ処理装置で管理されるファイルを転送すべき入出力デバイスを特定するために前記管理サーバで生成されて保管されている複数の転送パス情報を前記データ処理装置から獲得する獲得工程と、
前記獲得工程により獲得された複数の転送パス情報中から所望の転送パス情報を選択する選択工程と、前記選択工程により選択された転送パス情報に従って入出力デバイスの入出力動作を実行する実行工程と、
を有することを特徴とするコンピュータが読み出し可能なプログラムを格納した記憶媒体。
【請求項１６】  前記獲得工程は、前記データ処理装置で管理されるファイルを転送すべき入出力デバイスを特定するために前記管理サーバで生成されて保管されている複数の転送パス情報中の自機に関連する転送パス情報を前記データ処理装置から獲得することを特徴とする請求項１４または１５記載のコンピュータが読み出し可能なプログラムを格納した記憶媒体。
【請求項１７】  前記獲得工程により獲得された複数の転送パス情報を格納装置に保管する第２の保管工程を有し、前記選択工程は、前記格納装置により保管された複数の転送パス情報中から所望の転送パス情報を選択することを特徴とする請求項１４または１５記載のコンピュータが読み出し可能なプログラムを格納した記憶媒体。
【手続補正２】
【補正対象書類名】明細書
【補正対象項目名】０００８
【補正方法】変更
【補正の内容】
【０００８】
【課題を解決するための手段】
本発明に係る第１の発明は、通信媒体（図１に示すネットワーク１０１）を介してファイルサーバとして機能するデータ処理装置（図１に示すクライアントホスト１０２を含む）と複数の出力装置（図１に示すネットワークプリンタ１０４を含む）と通信してシステム全体を管理する管理サーバであって、前記データ処理装置または複数の出力装置から固有の資源情報を獲得する獲得手段（図４に示すデバイスプロファイル獲得部４０７）と、前記獲得手段により獲得された前記資源情報を保管する第１の保管手段（図４に示すデバイスプロファイルデータベース４０４）と、前記第１の保管手段により保管された前記資源情報から入出力デバイスを特定するための転送パス情報を複数生成する生成手段（図４に示す転送パスプロファイル生成部４０９）と、前記生成手段により生成された複数の転送パス情報を保管する第２の保管手段（図４に示す転送パスプロファイルデータベース４０５）と、前記データ処理装置または各出力装置からの転送パス情報要求に基づいて前記第２の保管手段により保管される複数の前記転送パス情報を前記データ処理装置または各出力装置に供給する供給手段（図４に示す転送パスプロファイル供給部４０８）とを有するものである。
【手続補正３】
【補正対象書類名】明細書
【補正対象項目名】０００９
【補正方法】変更
【補正の内容】
【０００９】
本発明に係る第２の発明は、所定の通信媒体（図１に示すネットワーク１０１）を介して複数の出力装置とシステム全体を管理する管理サーバ（図１に示す管理サーバ１０３）と通信可能なファイルサーバ機能を有するデータ処理装置であって、前記管理サーバからの資源情報取得要求に基づいて記憶されている固有の資源情報を前記管理サーバに供給する第１の供給手段（図２に示すデバイスプロファイル供給部２０６）と、前記ファイルを転送すべき入出力デバイスを特定するために前記管理サーバで生成されて保管されている複数の転送パス情報を前記管理サーバから獲得する獲得手段（図２に示す転送パスプロファイル獲得部２０７）と、前記獲得手段により獲得された複数の転送パス情報中から所望の転送パス情報を選択する選択手段（図２に示す操作パネル２０８により選択する）と、前記選択手段により選択された転送パス情報に従って入出力デバイスの入出力動作を制御する制御手段（図２に示すＣＰＵ２０１がＲＯＭ２０３，ハードディスク２０４に記憶された制御プログラムを実行して、例えばハードディスク２０４中に管理されるファイルを読み出して、選択された出力装置の出力条件に合う出力画像を生成して転送制御する）とを有するものである。
【手続補正４】
【補正対象書類名】明細書
【補正対象項目名】００１０
【補正方法】変更
【補正の内容】
【００１０】
本発明に係る第３の発明は、所定の通信媒体（図１に示すネットワーク１０１）を介してシステム全体を管理する管理サーバとファイルサーバとして機能するデータ処理装置と通信可能な出力装置であって、前記管理サーバからの資源情報取得要求に基づいて記憶されている固有の資源情報を前記データ処理装置に供給する第１の供給手段（図３に示すデバイスプロファイル供給部３０６）と、前記データ処理装置で管理されるファイルを転送すべき入出力デバイスを特定するために前記管理サーバで生成されて保管されている複数の転送パス情報を前記データ処理装置から獲得する獲得手段（図３に示す転送パスプロファイル獲得部３０７）と、前記獲得手段により獲得された複数の転送パス情報中から所望の転送パス情報を選択する選択手段（図３に示す操作パネル３０８）と、前記選択手段により選択された転送パス情報に従って入出力デバイスの入出力動作を制御する制御手段（ＣＰＵ３０２がＲＯＭ３０４，図示しないメモリに記憶された制御プログラムを実行して入出力デバイスの入出力動作を制御する）とを有するものである。
【手続補正５】
【補正対象書類名】明細書
【補正対象項目名】００１５
【補正方法】変更
【補正の内容】
【００１５】
本発明に係る第８の発明は、所定の通信媒体（図１に示すネットワーク１０１）を介してファイルサーバとして機能するデータ処理装置と複数の出力装置と通信してシステム全体を管理する管理サーバにおけるデータ処理方法であって、前記データ処理装置または複数の出力装置から固有の資源情報を獲得する獲得工程（図７に示すステップＳ７０１）と、前記獲得工程により獲得された前記資源情報を記憶装置に保管する第１の保管工程（図７に示すステップＳ７０３）と、前記第１の保管工程により保管された前記資源情報から入出力デバイスを特定するための転送パス情報を複数生成する生成工程（図示しない工程）と、前記生成工程により生成された複数の転送パス情報を前記記憶装置に保管する第２の保管工程（図示しない工程）と、前記データ処理装置または各出力装置からの転送パス情報要求に基づいて前記第２の保管工程により保管される複数の前記転送パス情報を前記データ処理装置または各出力装置に供給する供給工程（図１２に示すステップＳ１１０１〜Ｓ１１０５）とを有するものである。
【手続補正６】
【補正対象書類名】明細書
【補正対象項目名】００１６
【補正方法】変更
【補正の内容】
【００１６】
本発明に係る第９の発明は、所定の通信媒体（図１に示すネットワーク１０１）を介して複数の出力装置とシステム全体を管理する管理サーバと通信可能なファイルサーバ機能を有するデータ処理装置におけるデータ処理方法であって、前記管理サーバからの資源情報取得要求に基づいて記憶されている固有の資源情報を前記管理サーバに供給する第１の供給工程（図１０に示すステップＳ９０１〜Ｓ９０３）と、前記ファイルを転送すべき入出力デバイスを特定するために前記管理サーバで生成されて保管されている複数の転送パス情報を前記管理サーバから獲得する獲得工程（図１５に示すステップＳ１４０１〜Ｓ１４０３）と、前記獲得工程により獲得された複数の転送パス情報中から所望の転送パス情報を選択する選択工程（図示しない工程）と、前記選択工程により選択された転送パス情報に従って入出力デバイスの入出力動作を実行する実行工程（図示しない工程）とを有するものである。
【手続補正７】
【補正対象書類名】明細書
【補正対象項目名】００１７
【補正方法】変更
【補正の内容】
【００１７】
本発明に係る第１０の発明は、所定の通信媒体（図１に示すネットワーク１０１）を介してシステム全体を管理する管理サーバとファイルサーバとして機能するデータ処理装置と通信可能な出力装置におけるデータ処理方法であって、前記管理サーバからの資源情報取得要求に基づいて記憶されている固有の資源情報を前記データ処理装置に供給する第１の供給工程（図１０に示すステップＳ９０１〜Ｓ９０３）と、前記データ処理装置で管理されるファイルを転送すべき入出力デバイスを特定するために前記管理サーバで生成されて保管されている複数の転送パス情報を前記データ処理装置から獲得する獲得工程（図１５に示すステップＳ１４０１〜Ｓ１４０３）と、前記獲得工程により獲得された複数の転送パス情報中から所望の転送パス情報を選択する選択工程（図示しない工程）と、前記選択工程により選択された転送パス情報に従って入出力デバイスの入出力動作を実行する実行工程（図示しない工程）とを有するものである。
【手続補正８】
【補正対象書類名】明細書
【補正対象項目名】００２０
【補正方法】変更
【補正の内容】
【００２０】
本発明に係る第１３の発明は、所定の通信媒体（図１に示すネットワーク１０１）を介してファイルサーバとして機能するデータ処理装置と複数の出力装置と通信してシステム全体を管理する管理サーバを制御するコンピュータが読み出し可能なプログラムを格納した記憶媒体であって、前記データ処理装置または複数の出力装置から固有の資源情報を獲得する獲得工程（図７に示すステップＳ７０１）と、前記獲得工程により獲得された前記資源情報を記憶装置に保管する第１の保管工程（図７に示すステップＳ７０３）と、前記第１の保管工程により保管された前記資源情報から入出力デバイスを特定するための転送パス情報を複数生成する生成工程（図示しない工程）と、前記生成工程により生成された複数の転送パス情報を前記記憶装置に保管する第２の保管工程（図示しない工程）と、前記データ処理装置または各出力装置からの転送パス情報要求に基づいて前記第２の保管工程により保管される複数の前記転送パス情報を前記データ処理装置または各出力装置に供給する供給工程（図１２に示すステップＳ１１０１〜Ｓ１１０５）とを有するコンピュータが読み出し可能なプログラムを記憶媒体に格納したものである。
【手続補正９】
【補正対象書類名】明細書
【補正対象項目名】００２１
【補正方法】変更
【補正の内容】
【００２１】
本発明に係る第１４の発明は、所定の通信媒体（図１に示すネットワーク１０１）を介して複数の出力装置とシステム全体を管理する管理サーバと通信可能なファイルサーバ機能を有するデータ処理装置を制御するコンピュータが読み出し可能なプログラムを格納した記憶媒体であって、前記管理サーバからの資源情報取得要求に基づいて記憶されている固有の資源情報を前記管理サーバに供給する第１の供給工程（図１０に示すステップＳ９０１〜Ｓ９０３）と、前記ファイルを転送すべき入出力デバイスを特定するために前記管理サーバで生成されて保管されている複数の転送パス情報を前記管理サーバから獲得する獲得工程（図１５に示すステップＳ１４０１〜Ｓ１４０３）と、前記獲得工程により獲得された複数の転送パス情報中から所望の転送パス情報を選択する選択工程（図示しない工程）と、前記選択工程により選択された転送パス情報に従って入出力デバイスの入出力動作を実行する実行工程（図示しない工程）とを有するコンピュータが読み出し可能なプログラムを記憶媒体に格納したものである。
【手続補正１０】
【補正対象書類名】明細書
【補正対象項目名】００２２
【補正方法】変更
【補正の内容】
【００２２】
本発明に係る第１５の発明は、所定の通信媒体（図１に示すネットワーク１０１）を介してシステム全体を管理する管理サーバとファイルサーバとして機能するデータ処理装置と通信可能な出力装置を制御するコンピュータが読み出し可能なプログラムを格納した記憶媒体であって、前記管理サーバからの資源情報取得要求に基づいて記憶されている固有の資源情報を前記データ処理装置に供給する第１の供給工程（図１０に示すステップＳ９０１〜Ｓ９０３）と、前記データ処理装置で管理されるファイルを転送すべき入出力デバイスを特定するために前記管理サーバで生成されて保管されている複数の転送パス情報を前記データ処理装置から獲得する獲得工程（図１５に示すステップＳ１４０１〜Ｓ１４０３）と、前記獲得工程により獲得された複数の転送パス情報中から所望の転送パス情報を選択する選択工程（図示しない工程）と、前記選択工程により選択された転送パス情報に従って入出力デバイスの入出力動作を実行する実行工程（図示しない工程）とを有するコンピュータが読み出し可能なプログラムを記憶媒体に格納したものである。